(57)【要約】【課題】  特別な電解原水や特別な処理を施さずに高純度の次亜塩素酸水を生成して、平衡反応による塩素ガスの発生を防止するとともに、アルカリ水の捨て水を生成させない製氷装置の提供。【解決手段】電解質を収容する電解質水溶液収容部から電解室の陰極室に電解質水溶液を供給し該電解室の陽極室に電解原水を供給して電解することにより陽極室で電解次亜塩素酸水を生成する電解水生成装置と、前記陽極室で生成された電解次亜塩素酸水を冷却して製氷する冷却装置と、を一体化して構成した。【選択図】図２
2019120480.tif 000002
【特許請求の範囲】
【請求項１】
電解質を収容する電解質水溶液収容部から電解室の陰極室に電解質水溶液を供給し該電解室の陽極室に電解原水を供給して電解することにより陽極室で電解次亜塩素酸水を生成する電解水生成装置と、
前記陽極室で生成された電解次亜塩素酸水を冷却して製氷する冷却装置と、
を一体化して構成したことを特徴とする製氷装置。
【請求項２】
前記電解質水溶液収容部は、前記陰極室と連通しており前記電解質水溶液を該陰極室に循環供給することを特徴とする請求項１に記載の製氷装置。
【請求項３】
前記陽極室に供給される電解原水は、真水，軟水又は純水であることを特徴とする請求項１又は２に記載の製氷装置。
【請求項４】
前記陰極室と前記陽極室は、陰イオン透過膜で隔てられていることを特徴とする請求項１〜３のいずれかに記載の製氷装置。
【請求項５】
前記陰イオン透過膜の陽極室側には、不織布が配設され、陰極室側には隔膜固定部が配設されていることを特徴とする請求項１〜４のいずれかに記載の製氷装置。
【請求項６】
前記陽極室の電解次亜塩素酸水の排出側には、電解原水を撹拌して気液接触を行う酸性水撹拌体が配設されていることを特徴とする請求項１〜５のいずれかに記載の製氷装置。
【請求項７】
前記陰極室に配設される電極は、ステンレス及び／又はチタンに白金メッキを施したものであることを特徴とする請求項１〜６のいずれかに記載の製氷装置。
【請求項８】
前記陽極室に配設される電極は、チタンを母材にして表面にマグネシウムメッキを施したものであることを特徴とする請求項１〜７のいずれかに記載の製氷装置。
【請求項９】
前記電極の形状は、微細な線又はエキスパンド加工された網状であることを特徴とする請求項７又は８に記載の製氷装置。
【請求項１０】
前記電解質は、ＮａＣｌ，ＫＣｌ又はＨＣｌの何れかであることを特徴とする請求項１〜９のいずれかに記載の製氷装置。
【請求項１１】
電解質を収容する電解質水溶液収容部から電解室に電解質水溶液を供給して電解することにより電解次亜塩素酸水を生成する電解水生成装置と、
前記生成された電解次亜塩素酸水を冷却して製氷する冷却装置と、
を一体化して構成したことを特徴とする製氷装置。
【請求項１２】
前記電解質は、希塩酸であることを特徴とする請求項１１に記載の製氷装置。
【請求項１３】
前記電解水生成装置で生成される電解次亜塩素酸水は、流量調整バルブにより濃度と供給量を調整されて前記冷却装置に供給されることを特徴とする請求項１〜１３のいずれかに記載の製氷装置。
【発明の詳細な説明】
【技術分野】
【０００１】  本発明は、製氷装置に関し、とりわけ、特別な電解原水や特別な処理を施さずに高純度の次亜塩素酸水を生成して、平衡反応による塩素ガスの発生を防止するとともに、アルカリ水の捨て水を生成させない製氷装置に関する。
【背景技術】
【０００２】  魚介類や野菜等の生鮮食品および生鮮食材（以下、生鮮食品とする）は、消費者に届くまでの流通過程で、表面に付着している細菌が増殖したり、汚染された容器や人手が直接に触れるために細菌が新たに付着したりすることにより汚染される。【０００３】  このような細菌の増殖や新たな細菌による汚染を防ぐため、例えば、特許文献１に記載されるような氷とその利用方法が提案されている。特許文献１では、食塩水を電気分解することによって生成される酸性電解水を製氷し、得られる氷で生鮮食品を保冷し、生鮮食品表面の付着菌の減少と外からの細菌やウイルスなどによる二次汚染の防止とを図ることによってより生鮮食品の輸送時、保存時並びに陳列時に氷で保冷して鮮度と品質を保持するようにしている。【０００４】  また、特許文献２に記載されるような電解水氷の製造方法も提案されている。特許文献２では、ナトリウムイオン濃度２００ｐｐｍ以下、ｐＨ４．５〜６．８、塩化水素濃度０．０１〜２１％の酸性電解水を−４０℃以下の冷却条件下で凍結させた酸性電解水氷で生鮮食品等を保存させて、殺菌力の効果を長時間持続させるようにしている。【０００５】  このように、酸性電解水氷は保冷で細菌の増殖を抑えると同時に解凍により生じる酸性水の殺菌作用により表面に付着している細菌や二次汚染による細菌の殺菌が得られるため、細菌が付着しやすい魚介類等の保存用氷として適していることは広く知られている。【０００６】  しかし、魚介類等を酸性電解水氷で保存する場合に、魚介類等を長時間にわたって安全に保存するためには、酸性電解水氷はできるだけ溶けにくいことが好ましいが、従来の冷凍法で製氷した酸性電解水氷は、冷凍室内温度が−１５〜−２５℃であるために氷結構造が弱く破壊しやすい性質を持っており比較的早く解凍してしまうという問題がある。このため、魚介類等を遠方に運搬するときなどのように長い輸送時間を必要とするとき、あるいは、輸送後の陳列時間が長いときなど、保冷が不充分となり殺菌力の低下を招き、安全な保存が得られなくなるという問題があった。【０００７】  一方、酸性電解水を凍結して酸性電解水氷を得る場合、一般的に氷の形成は溶液中の純水から凍りはじめ、不純物は後から凍るために、酸性電解水が多くのミネラル成分を含んでいると、完全に氷結するのに極低温と長時間が必要となる。このため、大量の氷を製造するには設備の拡充や大型化や大きな電源が必要であった。【０００８】  そこで、特許文献３に記載されるような、魚介類等の保存方法が提案されている。特許文献３によれば、海洋深層水、海水または食塩の水溶液を電気分解して得られるｐＨが２．５〜６．５で塩素濃度が２０〜２００ｐｐｍの酸性電解水に５〜１００ｋｖの高電圧電場を付与して製氷した酸性電解水氷を用いて魚介類等を保存するようにしている。【０００９】  特許文献３によれば、酸性電解水に高電圧電場を付与して製氷することにより、氷結構造が強固な解凍しにくい酸性電解水氷を短時間で製造することができるので、魚介類等をこの酸性電解水氷で保存すると、氷が長持ちするため、魚介類等を長時間にわたって保冷しその鮮度を保持することができる、としている。【００１０】  また、海洋深層水は、細菌等を含まない清浄な食塩水であるので、電解用の原水としてそのまま使用することができ、さらにこの原水から得られた酸性電解水は、含まれる塩素濃度が高く、殺菌力の高い酸性電解水氷を得ることができるので、魚介類等の保存に適しており、特に、海洋で魚介類等を保存する場合に有効である、としている。
【特許文献】
【００１１】
【特許文献１】特開平１１−１０１５３６号公報
【特許文献２】特開２００２−３５００１６号公報
【特許文献３】特開２００５−３３３９２２号公報
【発明の開示】
【発明が解決しようとする課題】
【００１２】  しかしながら、特許文献３に記載される酸性電解水氷を用いた魚介類の保存方法によれば次のような問題があった。
すなわち、電解用の原水として、海洋深層水や海水あるいは食塩の水溶液を用いているが、この原水から得られた酸性電解水に塩分（ＮａＣｌ）が含まれると、塩分による浸透圧で鮮魚の細胞から水分を抜き取ってしまうという課題や魚肉に塩分が染み込んでしまうという課題や魚肉表面が白化してしまう課題が有った。また、海洋深層水を電解原水として用いる場合は、深海からの採取や輸送に時間と経費が掛かる課題や希少がゆえに高価になるという課題も有る。【００１３】  また、酸性電解水に塩分が含まれると、平衡反応により塩素ガスが発生し、極々短時間で次亜塩素酸が氷から気化消滅して殺菌と消臭効果が薄れるだけでなく、独特の塩素臭が鮮魚に付着してしまうという課題や、塩素ガスで充満されている船倉の閉鎖されている蓋を開けるときに危険な塩素ガスが一気に放出される課題が有った。【００１４】  また、酸性電解水に５〜１００ｋｖの高電圧電場を付与して製氷することにより、解凍しにくい酸性電解水氷を短時間で製造することができるが、高電圧の電場を付与するための設備を準備したり、その装置を大型化したりなければならず、小型漁船には設備が難しい事やコストが嵩むという課題が有った。【００１５】  更に、通常一隔膜式の電解装置では、陰極室と陽極室に塩分などを必要な濃度（多くは１０００ｐｐｍ前後）を溶解させた電解質毎電解し、陽極室では電解質を含んだ次亜塩素酸水が生成され、陰極室でも同じく電解質を含んだアルカリ性水が生成される。この時、酸性水だけを使用する場合、アルカリ性水は捨て水として大事な浄水や消費電力や電解質等を廃棄する事になってしまうという課題があった。【００１６】  従って、本発明の目的は、特別な電解原水や特別な処理を施さずに高純度の次亜塩素酸水を生成して、平衡反応による塩素ガスの発生を防止するとともに、アルカリ水の捨て水を生成させない電解水生成装置と一体型の製氷装置を提供することにある。
【課題を解決するための手段】
【００１７】  本発明は、上記の目的を達成するため、電解質を収容する電解質水溶液収容部から電解室の陰極室に電解質水溶液を供給し、該電解室の陽極室に電解原水を供給して電解することにより陽極室で高純度電解次亜塩素酸水を生成する電解水生成装置と、前記陽極室で生成された高純度電解次亜塩素酸水を冷却して製氷する冷却装置と、を一体化して構成したことを特徴とする製氷装置を提供する。【００１８】  上記構成において、前記電解質水溶液収容部は、前記陰極室と連通しており前記電解質水溶液を該陰極室に循環供給することを特徴とする。【００１９】  また、前記陽極室に供給される電解原水は、真水，軟水又は純水であることを特徴とする。【００２０】  また、前記陰極室と前記陽極室は、陰イオン透過膜で隔てられていることを特徴とする。【００２１】  また、前記陰イオン透過膜の陽極室側には不織布と陰極知る側には固定部が配設されていることを特徴とする。【００２２】  また、前記陽極室内部と電解次亜塩素酸水の排出側には、電極表面で発生した塩素ガス気泡と電解原水を撹拌して気液接触を行う酸性水撹拌体が配設されていることを特徴とする。【００２３】  また、前記陰極室に配設される電極は、ステンレス及び／又はチタンに白金メッキを施したものであることを特徴とする。また、前記陽極室に配設される電極は、チタンを母材にして表面にマグネシウムメッキを施したものであることを特徴とする。また、前記電極の形状は、微細な線を織り組んだ網又はエキスパンド加工された網状であることを特徴とする。【００２４】  また、前記電解質は、ＮａＣｌ，ＫＣｌ又はＨＣｌの何れかであることを特徴とする。【００２５】  また、本発明は、上記の目的を達成するため、電解質を収容する電解質水溶液収容部から電解室に電解質水溶液を供給して電解することにより電解次亜塩素酸水を生成する電解水生成装置と、前記生成された電解次亜塩素酸水を冷却して製氷する冷却装置と、を一体化して構成したことを特徴とする製氷装置を提供する。【００２６】  前記電解質は、希塩酸であることを特徴とする。【００２７】  また、前記電解水生成装置で生成される電解次亜塩素酸水は、流量調整バルブにより濃度と供給量を調整されて前記冷却装置に供給されることを特徴とする。
【発明の効果】
【００２８】  本発明の製氷装置によれば、上記のように構成したので、平衡反応が起き難く、塩素ガスが生成され難く、塩分が入らず、次亜塩素酸ソーダの８０倍の殺菌力を持つ次亜塩素酸水が、通常の水道水と変わらない氷結温度を可能にする純度９９．９９９％以上で次亜塩素酸濃度３０〜６０ｐｐｍを生成することができる。【００２９】  このため、サンマやイワシやマグロなど漁獲された漁場で船倉の氷水に収容し、鮮魚を急速冷却し、鮮度保持する場合や、鮮魚店の店頭で鮮度保持として使われる氷に、漁獲された鮮魚や店頭に陳列した鮮魚に付着した微生物を数秒から数十秒くらいの短時間で殺菌出来る。【００３０】  更に、冷却された鮮魚の細胞から水分を抜き取ってしまう塩分による浸透圧問題点が無い等の他、氷が解け出している間は殺菌成分が溶出し続けられるなどで、鮮度保持時間が画期的に延伸されたり、鮮魚の肉が漂白される事も無く、従来の次亜塩素酸ソーダ（ＮａＣｌＯ）のように強い臭気が付着することも無く、次亜塩素酸はアストリンゼン効果などもあり、手荒れの防止作用など各種の効果で安全で鮮度の高い鮮魚の提供が可能となる。【００３１】  その他、溶け出した次亜塩素酸は魚対表面に付着している有機物などにより瞬時に分解消滅し、塩素ガス発生も起きにくく二次的な問題も起きない。【００３２】  電解水生成装置は、３．２Ｖ・３Ａ×１Ｌ／ｍｉｎと高性能な電解水を生成することが可能であり、他の電解水生成装置と比較しても消費電力も微弱であり、低コスト、肉質に異常を発しない、臭いが付着しない等の高機能、鮮度保持期間が長い、等の電解水と、氷についての製氷装置を提供することができる。
【図面の簡単な説明】
【００３３】
【図１】  本発明の製氷装置に用いられる電解水生成装置の装置構成を示す概略構成図である。
【図２】  図１で説明した電解水生成装置と冷却装置を一体化して組みこんだ酸性水氷製造装置の装置構成を示す概略構成図である。
【図３】
【発明を実施するための形態】
【００３４】  以下、図面を参照して、本発明の実施の形態に係る製氷装置を説明する。
図１は、本発明の製氷装置１００に用いられる電解水生成装置１０の装置構成を示す装置概略構成図である。
【００３５】  この電解水生成装置１０は、電解質を含まない水道水や軟水や純水を電解原水として陽極室２０に取り込み、一方の陰極室３０に電解質水溶液収容部７０から電解質水溶液を取り込み循環させ、陽極室２０で高純度の次亜塩素酸水を生成させる一隔膜二室型の電解酸性水生成専用装置である。
【００３６】  より具体的には、陰極室３０は、電解質水溶液収容部７０とポンプ付の配管であるポンプ付電解質駅供給部３１と戻り配管である電解質液排出部３２とで連通されており、電解質水溶液収容部７０には、電解質として、塩（ＮａＣｌ）又は塩化カリウム（ＫＣｌ）等が収容されている。電解質水溶液収容部７０に収容された電解質水溶液は陰極室３０にポンプ付電解質液供給部３１で循環供給される。
【００３７】  一方、陽極室２０には電解原水として真水又は軟水や純水などが電解原水供給部２１から供給される。
【００３８】  陰極室３０と陽極室２０は陰イオン透過膜４０で隔てられ、陽極室２０には陰極室３０から塩素イオンだけが供給される。
【００３９】  隔壁となる陰イオン透過膜４０の陰極室２０内には膜保持部５０と陽極室３０内には、水通過性の良い不織布等からなる隔壁保護膜とイオン滞留体を兼ねた５１を配設し、陰極９０と陽極８０との直接接触を防止し、電解熱による陰イオン透過膜４０の劣化を防止と陽極室側に引き出した陰イオンを電極近傍に滞留させ、電流密度を高めさせている。
【００４０】  陰極室２０と対峙した陽極室３０の反対側には電解原水の電解によって生成される酸性水を撹拌して気液接触を行う酸性水撹拌体６０が配設されている。
【００４１】  酸性水撹拌体６０で撹拌された塩素ガスと電解原水は気液接触を繰り返して次亜塩素酸水を効率良く生成し、純度９９．９９％以上の高純度次亜塩素酸水となり、次亜塩素酸濃度を３０〜１２０ｐｐｍの範囲（望ましくは４０〜６０ｐｐｍ）の電解次亜塩素酸水を生成し、生成酸性水排出路２２から排出される。
【００４２】  なお、陰極９０にはステンレス及び又はチタンに白金メッキを施したいずれかを用い、陽極８０にはチタンを母材にして表面にマグネシウムメッキを施し、それぞれの電極の形状は微細な線又はエキスパンド加工された網状としている。また、コントロールボックス５００には、電源や各種制御部が収められている。
【００４３】  電解水生成装置１０は、３．２Ｖ・３Ａ×１Ｌ／ｍｉｎと高性能で、他の電解水生成装置と比較しても消費電力も微弱であるので、高性能な電解酸性水を低コストで生成することができる。
【００４４】  図２は、図１で説明した電解水生成装置１０と冷却装置５０を一体化して組みこんだ製氷装置１００の装置構成を示す概略構成図である。
冷却装置５０は、電解水生成装置１０で生成された電解次亜塩素酸水を製氷する製氷部２２０と、製氷部２２０で製氷した氷を保管する氷保管部３００と、気体冷媒を冷却用圧縮機４１０で圧縮して熱交換器４３０で冷気に変換して冷却用ファン４２０で庫内に循環させて製氷部２２０に供給された電解次亜塩素酸水を冷却させる冷却部４００と、からなる。
【００４５】  陽極室２０で生成された電解次亜塩素酸水は陽極室２０の生成酸性水排出路２２から排出されて酸性水一時収容部２００に一時的に収容され、流量調整バルブ２１０で濃度と供給量を調整されて冷却装置５０の製氷部２２０に供給され、電解次亜塩素酸水を製氷する。
【００４６】  製氷された氷は、氷を保管する氷保管部３００に収容され、氷が取り除かれた製氷部２２０には、酸性水一時収容部２００から再び電解次亜塩素酸水が供給され、冷却されて製氷される。図示しないが、氷保管部３００には、生成された氷を取り出す取出部が設けられている。
【００４７】  以下、図１及び図２を参照しながら、本発明の実施の形態に係る酸性電解水氷の製造装置の動作を説明する。
【００４８】  はじめに電源をＯＮすると、コントロールボックス５００では、酸性水一時収容部２００に配設した水位センサーで水位を感知し、貯留用の電解水が不足と判断した場合、電解質水溶液収容部７０のポンプ付電解質液供給部３１が作動し、電解質水溶液が陰極室３０のみに供給され、同時に電解原水供給部２１が解放され、電解原水は陽極室２０に供給される。
【００４９】  この作動確認はコントロールボックス５００で監視し、正常を確認した場合に電極８０に電気を通電して電解水に印加し電解が始まり、電解次亜塩素酸水を生成する。
【００５０】  貯留用の電解次亜塩素酸水が酸性水一時収容部２００に満タンなると、電解水生成装置１０は作動を停止し、製氷部２２０を回転させて製氷部２２０内の氷を落下させる。製氷部２２０に氷がないことを確認すると、流量制御付きの流量調整バルブ２１０が解放され、酸性水一時収容部２００から必要な量の電解次亜塩素酸水が製氷部２２０に供給される。
【００５１】  時間制御で製氷された氷は氷保管室３００に納められる。この時、冷却用圧縮機（コンプレッサー）４１０と冷却用ファン（送風機）４２０と熱交換器（コンデンサー）４３０とで冷媒を熱交換して製氷部２２０を冷却し、高純度の電解次亜塩素酸水を製氷する。
【００５２】  本発明の実施の形態による製氷装置によれば、純度９９．９９９％以上で次亜塩素酸濃度３０〜１２０ｐｐｍの範囲（望ましくは４０〜６０ｐｐｍ）の電解次亜塩素酸水を電解水生成装置１０で生成することができる。この電解次亜塩素酸水は、塩分が入らず塩素ガスが生成され難いので平衡反応が起き難い。
【００５３】  従って、次亜塩素酸が氷から気化消滅して殺菌と消臭効果が短時間で薄れることはなく、また、独特の塩素臭が鮮魚に付着してしまうこともない。しかも、塩分がはいらないので、次亜塩素酸ソーダの８０倍の殺菌力を持つ次亜塩素酸水を、通常の水道水と変わらない氷結温度で氷結させることができる。
【００５４】  ここで得られた電解次亜塩素酸水を氷結させた氷を、漁場で漁獲されたサンマやイワシやマグロなどの鮮魚を急速冷却し収容する船倉に用いたり、鮮魚店の店頭で氷に用いたりすれば、鮮魚の冷却だけでなく、鮮魚を冷凍保管する船倉等も含めて殺菌と共に消臭もでき、また、店頭に陳列する鮮魚に付着する微生物を数十秒くらいの短時間で殺菌することができる。
【００５５】  更に、塩分が入らないため、冷却された鮮魚の細胞から水分を抜き取ってしまうという塩分による浸透圧の問題がなくなり、また、氷が解け出している間は殺菌成分が溶出し続けられるため、鮮度保持時間が画期的に延伸される。
【００５６】  また、鮮魚の肉が漂白される事も無く、従来の次亜塩素酸ソーダ（ＮａＣｌＯ）のように強い臭気が付着することもないなど各種の効果で安全で鮮度の高い鮮魚の提供が可能となる。
【００５７】  また、溶け出した次亜塩素酸は魚体表面に付着している有機物などにより瞬時に分解消滅し、塩素ガス発生も起きにくく二次的な問題も起きない。
【００５８】  また、水道水等の真水を製氷する現在の製氷機では、真水には殺菌力が無く、製氷機内の氷の保存庫等は氷の出し入れの際に頻繁に開閉する事により、空気中に飛散している微生物（真菌類）が氷の保存庫内の壁面や保存庫と連通している製氷部などに付着したり、水道水には殺菌しきれていない微生物も含まれており、それらは製氷のための水を供給する配管内壁やそれらの接続部や製氷皿に付着し、カビ発生の原因となっている。
【００５９】  このため、定期的な清掃メンテナンスで除菌をしてカビの発生を防止しているが、本発明では、純度９９．９９９％以上で次亜塩素酸濃度３０〜１２０ｐｐｍの範囲（望ましくは４０〜６０ｐｐｍ）の酸性水を電解水生成装置１０で生成することができるので、それらの課題も解決できメンテナンスフリーとすることができる。
【００６０】  また、酸性電解水のみを生成するのでアルカリ性水を生成することなく、従って、アルカリ性水の捨て水が発生するという問題が生じない。よって、低コスト高パフォーマンスの製氷機を提供することができる。
【００６１】  なお、上記の電解水生成装置は、陰イオン透過膜のみを備えた一隔膜二室型の装置の例を示したが、これに限られるものではなく、隔膜を有しない無隔膜式の電解水生成装置を用いても良い。
【００６２】  図３は、この無隔膜式の電解水生成装置１１の装置構成を示す概略構成図である。図１及び図２と同一の内容には同一の符号を付したので重複する説明は省略するが、この電解水生成装置１１は、電解室１２内に陰極３０と陽極２０が配設され、電解室１２に隣接して電解質水溶液収容部７１を有する構成である。
【００６３】  電解質水溶液収容部７１には、電解質である希塩酸が収容されており、流量調整バルブ７２を制御して希塩酸を電解室１２内に必要量供給し、電解室１２内に配置した陰極３０と陽極２０に電流を印加して電解する。
【００６４】  この電解により希塩酸は高純度の電解次亜塩素酸水として生成され、生成酸性水排出路口２３より排出される。排出された電解次亜塩素酸水は流量調整バルブ２１１で調整された真水で任意の濃度に希釈調整される。
【００６５】  このように、高純度の次亜塩素酸水を生成するものであれば、一隔膜二室型の電解水生成装置だけでなく無隔膜式の電解水生成装置あるいはその他の電解水生成装置、例えば、二隔膜三室型の電解水生成装置を採用しても良いことは言うまでもない。
【符号の説明】
【００６６】１０：電解水生成装置
１１：電解水生成装置
１２：電解室
２０：陽極室
２１：電解原水供給部
２２：生成酸性水排出路
２３：生成酸性水排出路
３０：陰極室
３１：ポンプ付電解質液供給部
３２：電解質液排出部
４０：隔壁
５０：冷却装置
５０ａ：隔壁保護膜
５０ｂ：隔壁保護膜
６０：酸性水撹拌体
７０：電解質水溶液収容部
７１：電解質水溶液収容部
７２：流量調整バルブ
８０：陽極と端子
９０：陰極と端子
１００：製氷装置
２００：酸性水一時収容部
２１０：流量調整バルブ
２１１：流量調整バルブ
２２０：製氷部
３００：氷保管部
４００：冷却部
４１０：冷却用圧縮機
４２０：冷却用ファン
４３０：熱交換器
５００：コントロールボックス
【図１】
2019120480.tif 000003
【図２】
2019120480.tif 000004
【図３】
2019120480.tif 000005
【手続補正書】
【提出日】平成30年3月10日(2018.3.10)
【手続補正１】
【補正対象書類名】明細書
【補正対象項目名】００３３
【補正方法】変更
【補正の内容】
【００３３】
【図１】  本発明の製氷装置に用いられる電解水生成装置の装置構成を示す概略構成図である。
【図２】  図１で説明した電解水生成装置と冷却装置を一体化して組みこんだ酸性水氷製造装置の装置構成を示す概略構成図である。
【図３】  無隔膜式の電解水生成装置の装置構成を示す概略構成図である。